(57)【要約】【課題】複数のカードを所有することによる利用者の利便性の向上を図ること。【解決手段】決済端末装置が実行する決済に用いるカードを含む複数種類のカードに関するカード情報をカードの種類に応じて集約した集約項目ごとに関連付けて記憶し、電池から供給される電力を用いて、カード情報の集約項目をディスプレイ４２０に表示し、ディスプレイ４２０に表示された集約項目の中から任意の集約項目を指定する入力操作をディスプレイ４２０に積層されたタッチパネル４２１を介して受け付けた場合は、当該入力操作によって指定された集約項目に集約されたカード情報の少なくとも一部をディスプレイ４２０に表示するようにしたカード４００を構成した。【選択図】図４−２
2014016997.tif 000002
【特許請求の範囲】
【請求項１】
出力手段と、
決済端末装置が実行する決済に用いるカード（以下「決済カード」という）が決済端末装置に装着された場合に、当該決済端末装置から当該決済端末装置が設置された店舗に関する広告情報を含む店舗情報を取得する店舗情報取得手段と、
前記店舗情報取得手段によって取得した前記店舗に関する広告情報を含む前記店舗情報を前記店舗ごとに記憶する店舗情報記憶手段と、
前記店舗情報記憶手段が記憶する前記店舗に関する広告情報を前記出力手段に出力させる出力制御手段と、
を備えたことを特徴とする決済カード。
【請求項２】
充電式の電源を備え、
前記出力手段は、前記電源から供給される電力を用いて前記店舗に関する広告情報を出力することを特徴とする請求項１に記載の決済カード。
【請求項３】
前記店舗情報記憶手段が記憶する店舗情報の中からお気に入りの店舗の店舗情報を設定するお気に入り店舗情報設定手段と、
前記お気に入り店舗情報設定手段によって設定された前記お気に入りの店舗の店舗情報を前記店舗ごとに記憶するお気に入り店舗情報記憶手段と、
を備え、
前記出力制御手段は、前記お気に入り店舗情報記憶手段が記憶する前記お気に入りの店舗の広告情報のみを出力させることを特徴とする請求項２に記載の決済カード。
【請求項４】
前記決済カードを含む複数種類のカードに関するカード情報を前記カードの種類に応じて集約した集約項目ごとに関連付けて記憶する集約カード情報記憶手段と、
前記電源から供給される電力を用いて前記集約カード情報記憶手段が記憶するカード情報の前記集約項目を表示する表示手段と、
前記表示された集約項目の中から任意の集約項目を指定する入力操作を受け付ける操作受付手段と、
を備え、
前記表示手段は、前記操作受付手段が入力操作を受け付けた場合、当該入力操作によって指定された集約項目に集約されたカード情報の少なくとも一部を表示することを特徴とする請求項２または３に記載の決済カード。
【請求項５】
前記出力制御手段は、所定時間経過するまでに前記操作受付手段による入力操作がない場合に、前記店舗に関する広告情報を出力させることを特徴とする請求項４に記載の決済カード。
【請求項６】
前記出力制御手段は、静止画、動画、アニメーションおよび音声の少なくともいずれか一つの情報を出力させることを特徴とする請求項１〜５のいずれか一つに記載の決済カード。
【発明の詳細な説明】
【技術分野】
【０００１】
この発明は、決済に用いるカードに関する。
【背景技術】
【０００２】
近年、クレジットカードや電子マネーカードなどのカードを利用したカード決済が広く普及しており、一人で複数枚（複数種類）のカードを利用する利用者も多く存在する。また、近年、決済金額など決済内容に応じてポイントを付与することで利用者の囲い込みを図るようにした店舗が多く存在する。付与されたポイントは、たとえば、各店舗が独自に発行するポイントカードなどのカードに記憶した状態で管理される。このため、複数の店舗においてポイントの付与を受けた利用者は、複数枚のカードを所有することになる。クレジットカード、電子マネーカード、ポイントカードなどのカードは、決済に際して利用するため、たとえば財布などに収容されることが多い。
【０００３】
たとえば、クレジットカードが記憶する情報は、クレジットカード会社に問い合わせの電話をかけたり、クレジットカード会社が運用するＷＥＢサイトにアクセスしたりすることによって確認することができる。また、たとえば、クレジットカードを利用することによって付与されたポイントも同様に、クレジットカード会社に問い合わせの電話をかけたり、クレジットカード会社が運用するＷＥＢサイトにアクセスしたりすることで確認することができる。
【０００４】
また、たとえば、電子マネーカードが記憶する情報は、電子マネーの規格に適合したカードリーダやディスプレイを備えた専用の端末装置を利用したり、電子マネー決済に際して発行される領収書を見たりすることによって確認することができる。同様に、たとえば、ポイントカードが記憶する情報は、当該ポイントカード専用のカードリーダやディスプレイを備えた専用の端末装置を利用したり、当該ポイントカードの発行元となる店舗で決済をおこなうことによって発行される領収書を見たりすることによって確認することができる。
【０００５】
複数のカードの情報を確認する技術として、具体的には、従来、たとえば、複数のＩＣカードを保持するとともに保持している複数のＩＣカードのうちの少なくとも一つのＩＣカードから情報を読み取り、読取手段によって読み取られた情報を表示させることにより、ＩＣカードの記録内容を確認できるようにした技術があった（たとえば、下記特許文献１を参照。）。
【０００６】
また、従来、たとえば、ＩＣカードの表面に、外部装置との接続のための外部コンタクトを露出させ、アプリケーションを供給したサービス会社の名称などが印字される複数の印字領域を設け、Ｘ座標とＹ座標とによって示される印字位置の情報をアプリケーションに対応付けて記憶させ、利用者によって指定された印字位置に応じたアプリケーションを実行することにより、１枚のＩＣカードで電子マネー決済やクレジットカード決済などの複数種類の決済を利用できるようにした技術があった（たとえば、下記特許文献２を参照。）。
【先行技術文献】
【特許文献】
【０００７】
【特許文献１】特開平１０−１４９４１４号公報
【特許文献２】特開平１１−３９４４５号公報
【発明の概要】
【発明が解決しようとする課題】
【０００８】
しかしながら、上述した従来の技術は、複数枚のカードを所有している利用者は、決済に際して、複数枚のカードの中から所望するカードを探さなければならず、煩わしいという問題があった。また、上述した従来の技術は、クレジットカード、電子マネーカード、ポイントカードなどのように、利用目的に応じて複数枚のカードを所有しなくてはならないため、財布などが膨れあがり、美観に劣るとともに持ち運びが煩わしいという問題があった。
【０００９】
また、上述した従来の技術は、いずれの方法も、カードが記憶する情報を確認するためには専用の操作や作業をおこなわなくてはならず煩わしいという問題があった。特に、ポイントカードは各店舗によって独自に発行されているため、ポイントカードなどのカードが記憶する情報は、当該ポイントカードの発行元となる特定の店舗に赴かなくては確認することが難しく、カードの情報を確認したいときにすぐに確認することができないという問題があった。
【００１０】
また、上述した特許文献１に記載された従来の技術は、複数のカードに加えてＩＣカードの記録内容を確認するための装置を別途持ち運ばなくてはならず、煩わしいという問題があった。また、上述した特許文献２に記載された従来の技術は、利用するカードを都度利用者が指定しなくてはならず、煩わしいという問題があった。
【００１１】
上述した課題を解決し、目的を達成するため、この発明にかかる決済カードは、複数のカードを所有することによる利用者の利便性の向上を図ることができる決済カードを提供することを目的とする。
【課題を解決するための手段】
【００１２】
上述した課題を解決し、目的を達成するため、この発明にかかる決済カードは、出力手段と、決済端末装置が実行する決済に用いるカード（以下「決済カード」という）が決済端末装置に装着された場合に、当該決済端末装置から当該決済端末装置が設置された店舗に関する広告情報を含む店舗情報を取得する店舗情報取得手段と、前記店舗情報取得手段によって取得した前記店舗に関する広告情報を含む前記店舗情報を前記店舗ごとに記憶する店舗情報記憶手段と、前記店舗情報記憶手段が記憶する前記店舗に関する広告情報を前記出力手段に出力させる出力制御手段と、を備えたことを特徴とする。
【００１３】
また、この発明にかかる決済カードは、上記の発明において、充電式の電源を備え、前記出力手段は、前記電源から供給される電力を用いて前記店舗に関する広告情報を出力することを特徴とする。
【００１４】
また、この発明にかかる決済カードは、上記の発明において、前記店舗情報記憶手段が記憶する店舗情報の中からお気に入りの店舗の店舗情報を設定するお気に入り店舗情報設定手段と、前記お気に入り店舗情報設定手段によって設定された前記お気に入りの店舗の店舗情報を前記店舗ごとに記憶するお気に入り店舗情報記憶手段と、を備え、前記出力制御手段は、前記お気に入り店舗情報記憶手段が記憶する前記お気に入りの店舗の広告情報のみを出力させることを特徴とする。
【００１５】
また、この発明にかかる決済カードは、上記の発明において、前記決済カードを含む複数種類のカードに関するカード情報を前記カードの種類に応じて集約した集約項目ごとに関連付けて記憶する集約カード情報記憶手段と、前記電源から供給される電力を用いて前記集約カード情報記憶手段が記憶するカード情報の前記集約項目を表示する表示手段と、前記表示された集約項目の中から任意の集約項目を指定する入力操作を受け付ける操作受付手段と、を備え、前記表示手段は、前記操作受付手段が入力操作を受け付けた場合、当該入力操作によって指定された集約項目に集約されたカード情報の少なくとも一部を表示することを特徴とする。
【００１６】
また、この発明にかかる決済カードは、上記の発明において、前記出力制御手段は、所定時間経過するまでに前記操作受付手段による入力操作がない場合に、前記店舗に関する広告情報を出力させることを特徴とする。また、この発明にかかる決済カードは、上記の発明において、前記出力制御手段は、静止画、動画、アニメーションおよび音声の少なくともいずれか一つの情報を出力させることを特徴とする。
【発明の効果】
【００１７】
この発明にかかる決済カードによれば、複数のカードを所有することによる利用者の利便性の向上を図ることができるという効果を奏する。
【図面の簡単な説明】
【００１８】
【図１】この発明にかかる実施の形態のカードを利用可能なカード決済システムのシステム構成を示す説明図である。
【図２】サーバを実現するコンピュータ装置のハードウエア構成を示すブロック図である。
【図３−１】店舗端末装置のハードウエア構成を示すブロック図（その１）である。
【図３−２】店舗端末装置のハードウエア構成を示すブロック図（その２）である。
【図４−１】この発明にかかる実施の形態のカードの外観を示す説明図（その１）である。
【図４−２】この発明にかかる実施の形態のカードの外観を示す説明図（その２）である。
【図５】この発明にかかる実施の形態のカードのハードウエア構成を示すブロック図である。
【図６−１】この発明にかかる実施の形態のカードが備えるデータベース例を示す説明図（その１）である。
【図６−２】この発明にかかる実施の形態のカードが備えるデータベース例を示す説明図（その２）である。
【図６−３】この発明にかかる実施の形態のカードが備えるデータベース例を示す説明図（その３）である。
【図６−４】この発明にかかる実施の形態のカードが備えるデータベース例を示す説明図（その４）である。
【図７−１】この発明にかかる実施の形態のカードがディスプレイに表示する表示画面例を示す説明図（その１）である。
【図７−２】この発明にかかる実施の形態のカードがディスプレイに表示する表示画面例を示す説明図（その２）である。
【図７−３】この発明にかかる実施の形態のカードがディスプレイに表示する表示画面例を示す説明図（その３）である。
【図７−４】この発明にかかる実施の形態のカードがディスプレイに表示する表示画面例を示す説明図（その４）である。
【図７−５】この発明にかかる実施の形態のカードがディスプレイに表示する表示画面例を示す説明図（その５）である。
【図７−６】この発明にかかる実施の形態のカードがディスプレイに表示する表示画面例を示す説明図（その６）である。
【図７−７】この発明にかかる実施の形態のカードがディスプレイに表示する表示画面例を示す説明図（その７）である。
【図７−８】この発明にかかる実施の形態のカードがディスプレイに表示する表示画面例を示す説明図（その８）である。
【図７−９】この発明にかかる実施の形態のカードがディスプレイに表示する表示画面例を示す説明図（その９）である。
【図７−１０】この発明にかかる実施の形態のカードがディスプレイに表示する表示画面例を示す説明図（その１０）である。
【図８】この発明にかかる実施の形態のカードの機能的構成を示す説明図である。
【図９】この発明にかかる実施の形態のカードの処理手順を示すフローチャート（その１）である。
【図１０】この発明にかかる実施の形態のカードの処理手順を示すフローチャート（その２）である。
【図１１】この発明にかかる実施の形態のカードの処理手順を示すフローチャート（その３）である。
【図１２】この発明にかかる実施の形態のカードの処理手順を示すフローチャート（その４）である。
【図１３】この発明にかかる実施の形態のカードの処理手順を示すフローチャート（その５）である。
【図１４】この発明にかかる実施の形態のカードの処理手順を示すフローチャート（その６）である。
【発明を実施するための形態】
【００１９】
以下に添付図面を参照して、この発明にかかる決済カードの好適な実施の形態を詳細に説明する。
【００２０】
（カード決済システムのシステム構成）
まず、この発明にかかる実施の形態のカードを利用可能なカード決済システムのシステム構成について説明する。図１は、この発明にかかる実施の形態のカードを利用可能なカード決済システムのシステム構成を示す説明図である。
【００２１】
図１において、この発明にかかる実施の形態のカードを利用可能なカード決済システム１００は、サーバ装置１１０、決済端末装置１２０を含んで構成されている。カード決済システム１００において、サーバ装置１１０および決済端末装置１２０は、インターネットなどのネットワーク１３０に接続されている。
【００２２】
サーバ装置１１０は、パーソナルコンピュータなどのコンピュータ装置によって実現することができる（図２を参照）。サーバ装置１１０は、カード番号ごとにカードの利用状況などの利用者の個人情報を関連付けて記憶するデータベースを備えている。カード番号ごとにカードの利用状況などの利用者の個人情報を関連付けて記憶するデータベースについては、公知の技術であるため説明を省略する。
【００２３】
決済端末装置１２０は、カード決済機能を備え、ＣＡＦＩＳやＩＮＦＯＸ−ＮＥＴなどの決済用のネットワークを介して、インターネットなどのネットワーク１３０に接続されている。決済端末装置１２０は、それぞれ、サーバ装置１１０との間で、ネットワーク１３０を介した通信が可能とされている。
【００２４】
カード決済システム１００において、決済端末装置１２０は、クレジットカードなどのカードを用いた信用決済（以下「カード決済」という）にかかる各種の処理をおこなうことができる。決済端末装置１２０は、カード決済にかかる各種の処理の実行に際して、サーバ装置１１０との間で通信をおこなう。
【００２５】
また、カード決済システム１００において、決済端末装置１２０は、顧客とカード決済システム１００とのインターフェースを司り、カードの利用状況を顧客に報知する。決済端末装置１２０は、クレジットカードなど信用決済に用いられるカード（以下「決済カード」という）をおこなうごとにカードの利用状況を報知する。カードの利用状況の報知方法については、説明を後述する。
【００２６】
決済端末装置１２０は、具体的には、たとえばＣＡＴ（Ｃｒｅｄｉｔ  Ａｕｔｈｏｒｉｚａｔｉｏｎ  Ｔｅｒｍｉｎａｌ）端末などのカードの信用照会端末や、ＩＮＦＯＸ端末などの多機能決済端末などによって実現することができる。決済端末装置１２０は、電話回線の他、所定のネットワーク１３０を介してインターネットに接続可能とされている。また、決済端末装置１２０は、ＰＯＳ端末に接続され、あるいはＰＯＳ端末に一体に組み込まれ、ＰＯＳ端末を介してネットワーク１３０に接続されていてもよい。
【００２７】
（コンピュータ装置のハードウエア構成）
つぎに、サーバ装置１１０を実現するコンピュータ装置のハードウエア構成について説明する。図２は、サーバ装置１１０を実現するコンピュータ装置のハードウエア構成を示すブロック図である。図２において、コンピュータ装置２００は、ＣＰＵ２０１と、ＲＯＭ２０２と、ＲＡＭ２０３と、ＨＤＤ（ハードディスクドライブ）２０４と、ＨＤ（ハードディスク）２０５と、ＦＤＤ（フロッピー（登録商標）ディスクドライブ）２０６と、着脱可能な記録媒体の一例としてのＦＤ（フロッピーディスク）２０７と、ネットワークＩ／Ｆ（インターフェース）２０８と、を備えている。また、コンピュータ装置２００が備える各部２０１〜２０８は、バス２０９によってそれぞれ接続されている。
【００２８】
ＣＰＵ２０１は、コンピュータ装置２００全体の制御を司る。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００２９】
ＦＤＤ２０６は、ＣＰＵ２０１の制御にしたがってＦＤ２０７に対するデータのリード／ライトを制御する。ＦＤ２０７は、ＦＤＤ２０６の制御で書き込まれたデータを記憶する。着脱可能な記録媒体として、ＦＤ２０７の他、ＣＤ−ＲＯＭ（ＣＤ−ＲＷ）、ＭＯ、ＤＶＤ（Ｄｉｇｉｔａｌ  Ｖｅｒｓａｔｉｌｅ  Ｄｉｓｋ）などであってもよい。
【００３０】
ネットワークＩ／Ｆ２０８は、通信回線を通じてネットワーク１３０に接続され、ネットワーク１３０を介して決済端末装置１２０などの外部装置に接続される。そして、ネットワークＩ／Ｆ２０８は、ネットワーク１３０と内部とのインターフェースを司り、コンピュータ装置２００からのデータの入出力を制御する。
【００３１】
（決済端末装置１２０のハードウエア構成）
つぎに、決済端末装置１２０のハードウエア構成について説明する。図３−１および図３−２は、決済端末装置１２０のハードウエア構成を示すブロック図である。図３−１においては、カード決済に特化した機能を備えた決済端末装置１２０のハードウエア構成を示している。図３−２においては、カード決済機能を備えたＰＯＳ端末によって実現される決済端末装置１２０のハードウエア構成を示している。
【００３２】
図３−１において、カード決済に特化した機能を備えた決済端末装置１２０は、ＣＰＵ３１１と、ＲＯＭ３１２と、ＲＡＭ３１３と、ディスプレイ３１４と、キーボード３１５と、ネットワークＩ／Ｆ３１６と、ブザー３１７と、カードリーダ３１８と、プリンタ３１９と、を備えている。また、決済端末装置１２０が備える各部３１１〜３１９は、バス３１０によってそれぞれ接続されている。
【００３３】
ＣＰＵ３１１は、決済端末装置１２０全体の制御を司る。ＲＯＭ３１２は、カード決済に際して実行させる各種のプログラムなどを記憶している。ＲＡＭ３１３は、ＣＰＵ３１１のワークエリアとして使用される。ＣＰＵ３１１は、カード決済に際して、ネットワークＩ／Ｆ３１６を介してサーバ装置１１０との間で通信をおこなう。
【００３４】
キーボード３１５は、カード決済をおこなう店舗の店員などによるカード決済にかかる各種の入力操作を受け付けたり、カードの所有者による暗証番号の入力操作を受け付けたりする。キーボード３１５は、入力された情報をＣＰＵ３１１に出力する。ディスプレイ３１４は、たとえば液晶パネルを備えた表示装置によって実現することができる。ディスプレイ３１４を実現する液晶パネルは、定型メッセージ、数字、記号などを表示することができる。また、ディスプレイ３１４を実現する液晶パネルは、７セグメント方式のディスプレイであってもよい。
【００３５】
ブザー３１７は、決済端末装置１２０においてエラーが発生した場合などに所定のブザー音声を出力する。ブザー３１７としては、たとえば圧電ブザー、電子ブザー、電磁ブザーなど公知の各種のブザーを用いることができる。カードリーダライタ３１８は、カードを用いた決済において、カードに記録されたデータを読み出したり、カードにデータを記録したりする。また、カードリーダライタ３１８は、カードに記録されたデータを、必要に応じて消去したりする。
【００３６】
プリンタ３１９は、伝票用紙に対して決済の内容などを印字する印字処理をおこなう。プリンタ３１９は、たとえば複写が可能な伝票用紙に対する印字が可能なインパクトドットプリンタなどを用いることができる。プリンタ３１９は、インパクトドットプリンタに限るものではなく、サーマルプリンタ、レーザプリンタ、インクジェットプリンタなど公知の各種の印字方式のプリンタによって実現することができる。プリンタ３１９は、伝票用紙を保持する用紙保持機構、伝票用紙に対して印字をおこなうプリンタヘッドなどを備えて構成されている。
【００３７】
図３−２において、カード決済機能を備えたＰＯＳ端末によって実現される決済端末装置１２０は、ＣＰＵ３２１と、ＲＯＭ３２２と、ＲＡＭ３２３と、ＨＤＤ３２４と、ＨＤ３２５と、ディスプレイ３２６と、タッチパネル３２７と、キーボード３２８と、バーコードスキャナ３２９と、プリンタ３３０と、ドロワ開放装置３３１と、ネットワークＩ／Ｆ３３２と、スピーカー３３３と、カードリーダライタ３３４と、を備えている。また、決済端末装置１２０が備える各部３２１〜３３４は、バス３２０によってそれぞれ接続されている。
【００３８】
ＣＰＵ３２１は、カード決済機能を備えたＰＯＳ端末によって実現される決済端末装置１２０全体の制御を司る。ＲＯＭ３２２は、カード決済時、商品の売り上げ登録時あるいは売り上げの精算時などに実行させる各種のプログラムなどを記憶している。ＲＡＭ３２３は、ＣＰＵ３２１のワークエリアとして使用される。ＣＰＵ３２１は、たとえばカード決済に際して、ネットワークＩ／Ｆ３３２を介してサーバ装置１１０との間で通信をおこなう。
【００３９】
カード決済機能を備えたＰＯＳ端末によって実現される決済端末装置１２０は、サーバ装置１１０との間で直接通信をおこなうことができる。また、カード決済機能を備えたＰＯＳ端末によって実現される決済端末装置１２０は、店舗ごとあるいはグループごとに設けられたサーバコンピュータを介して、サーバ装置１１０との間で通信をおこなってもよい。
【００４０】
ＨＤＤ３２４は、ＣＰＵ３２１の制御にしたがって、ＨＤ３２５に対するデータのリード／ライトを制御する。ＨＤＤ３２４は、ＨＤ３２５の制御によって書き込まれたデータを記憶する。具体的には、ＨＤ３２５は、たとえば商品マスタファイルや売り上げファイルなどを記憶している。カード決済機能を備えたＰＯＳ端末によって実現される決済端末装置１２０における商品マスタファイルや売り上げファイルについては公知であるため説明を省略する。
【００４１】
ディスプレイ３２６は、たとえば液晶パネルを備えた表示装置によって実現することができる。ディスプレイ３２６は、カーソル、アイコン、ツールボックスをはじめ、文書、画像、機能情報などのデータに関するウインドウ（ブラウザ）を表示する。カード決済機能を備えたＰＯＳ端末によって実現される決済端末装置１２０は、店員側に情報を表示するディスプレイ３２６と、利用者（カードの所有者）側に情報を表示するディスプレイ３２６とのように、１台あたり複数のディスプレイ３２６を備えていてもよい。
【００４２】
タッチパネル３２７は、ディスプレイ３２６に積層され、操作位置に応じた信号をＣＰＵ３２１に対して出力する。タッチパネル３２７は、たとえば抵抗膜方式や静電容量方式、音響パルス認識方式、超音波表面弾性波方式、赤外遮光方式、画像認識方式など公知の各種の方式のものを用いることができる。キーボード３２８は、文字、数値、各種指示などの入力のためのキーを備え、操作されたキーに応じた信号をＣＰＵ３２１に対して出力する。
【００４３】
バーコードスキャナ３２９は、商品に付されたバーコードや２次元コードなどを光学的に読み取ることが可能な光学式マーク認識装置（ＯＭＲ：Ｏｐｔｉｃａｌ  Ｍａｒｋ  ＲｅｃｏｇｎｉｔｉｏｎもしくはＯｐｔｉｃａｌ  Ｍａｒｋ  Ｒｅａｄｅｒ）によって実現することができる。バーコードスキャナ３２９は、ＬＥＤなどの光源、光源からの光を走査させるポリゴンミラー、読み取り対象物からの反射光を受光するセンサ、センサが受光した光信号をデコードするデコード回路などを備えている。センサとしてＣＣＤイメージセンサを採用することにより、２次元コードを読み取ることが可能になる。デコード回路がデコードしたデータは、ＣＰＵ３２１に出力される。
【００４４】
プリンタ３３０は、ロール紙に対して決済の内容などを印字する印字処理をおこなう。サーマルプリンタ、レーザプリンタ、インクジェットプリンタなど公知の各種の印字方式のプリンタによって実現することができる。プリンタ３３０は、ロール紙を保持するロール紙保持機構、ロール紙に対して印字をおこなうプリンタヘッド、印字済みのロール紙を任意の長さでカットするカッタ機構などを備えて構成されている。
【００４５】
ドロワ開放装置３３１は、カード決済機能を備えたＰＯＳ端末によって実現される決済端末装置１２０に対して所定の操作がおこなわれた場合に、当該決済端末装置１２０に接続されたドロワ装置を開放する。ドロワ開放装置３３１は、具体的には、たとえばソレノイドなどによって実現することができ、キーボード３２８における「預／現計」キーの操作に応じてＣＰＵ３２１から出力された開放信号を受信した場合に動作してドロワ装置を解錠する。
【００４６】
スピーカー３３３は、商品をスキャンした場合の『ピッ』という音声やエラーなどの異常発生時の報知音を出力する。スピーカー３３３は、ボイスコイル（図示を省略する）を備えており、ＣＰＵ３２１から出力された音声信号にしたがった電気信号をボイスコイルに印加することによって音声を出力する。カードリーダライタ３３４は、カードを用いた決済において、カードに記録されたデータを読み出したり、カードにデータを記録したりする。また、カードリーダライタ３３４は、カードに記録されたデータを、必要に応じて消去したりする。
【００４７】
（カードの外観）
つぎに、この発明にかかる実施の形態のカードの外観について説明する。図４−１および図４−２は、この発明にかかる実施の形態のカードの外観を示す説明図である。図４−１は、この発明にかかる実施の形態のカードを一面側から見た状態を示している。図４−２は、この発明にかかる実施の形態のカードを他面側から見た状態を示している。
【００４８】
図４−１および図４−２において、この発明にかかる実施の形態のカード４００は、プラスチックなどと称される高分子材料を用いて形成された薄板状の基材を備えている。あるいは、カード４００における基材は、高分子材料以外の材料に代えて、たとえば、紙、金属、木の板など、高分子材料以外の材料を用いて形成されていてもよい。基材は、具体的には、たとえば、一般的なクレジットカードと同程度（約８６ｍｍ×５４ｍｍ）の大きさをなしている。
【００４９】
カード４００における基材の一面側には、ＩＣ（Ｉｎｔｅｇｒａｔｅｄ  Ｃｉｒｃｕｉｔ）チップ４１０が設けられている。ＩＣチップ４１０において、カード４００における基材の一面側に露出した部分は、決済端末装置１２０などの外部装置との間における通信に際して、当該外部装置に接続される通信用端子とされている。ＩＣチップ４１０は、ＣＰＵ、ＲＯＭ、ＲＡＭ、メモリおよび通信用端子を備えている（図５を参照）。
【００５０】
カード４００における基材の他面側には、ディスプレイ４２０が設けられている。ディスプレイ４２０は、たとえば、カード４００の他面側における全面に設けることができる。カード４００における基材の他面側における全面にディスプレイ４２０を設けることにより、大きさ（面積）が限られたカードにおいて大きな表示面積を確保することができる。ディスプレイ４２０は、たとえば、液晶ディスプレイ、有機ＥＬディスプレイなどによって実現することができる。
【００５１】
また、カード４００における基材の他面側には、タッチパネル４２１が設けられている。タッチパネル４２１は、ディスプレイ４２０に積層されている。タッチパネル４２１は、カード４００の他面側における全面に設けることができる。あるいは、タッチパネル４２１は、カード４００の他面側における一部に設けられていてもよい。
【００５２】
また、カード４００は、充電式の電源（図５を参照）を備えている。ＩＣチップ４１０が備えるＣＰＵは、電源から供給される電力を用いてディスプレイ４２０やタッチパネル４２１を駆動する。カード４００は、充電式の電源を備えているため、電源に充電された電気の容量が少なくなった場合などに適宜充電することができ、繰り返して利用することができる。また、カード４００は、充電式の電源を備えているため、たとえば、太陽電池などのように発電している状態においてのみ利用可能な電源とは異なり、多様な環境において利用することができる。
【００５３】
充電可能な電池（充電池）は、二次電池、蓄電池などとも称され、充電をおこなうことにより電気エネルギーを化学エネルギーに変換して蓄え、蓄えた化学エネルギーを化学反応によって直接に直流電力に変換する。充電式の電源を用いることにより、カードを繰り返し使用することができる。
【００５４】
カード４００は、たとえば、カード４００の利用者の直筆の署名を記載する署名欄を備えていてもよい。これにより、この発明にかかる実施の形態のカード４００を用いて決済をおこなう場合にも、伝票への署名をともなうカード決済を実現することができ、カード決済における信頼性の向上を図ることができる。
【００５５】
（カード４００のハードウエア構成）
つぎに、この発明にかかる実施の形態のカード４００のハードウエア構成について説明する。図５は、この発明にかかる実施の形態のカード４００のハードウエア構成を示すブロック図である。
【００５６】
図５において、この発明にかかる実施の形態のカード４００は、ＣＰＵ５０１と、ＲＯＭ５０２と、ＲＡＭ５０３と、メモリ５０４と、通信用端子５０５と、ディスプレイ４２０と、タッチパネル４２１と、充電式の電源５０６と、を備えている。また、この発明にかかる実施の形態のカード４００が備える各部５０１〜５０６、４２０、４２１は、バス５１０によってそれぞれ接続されている。
【００５７】
ＣＰＵ５０１は、カード４００全体の制御を司る。ＣＰＵ５０１は、図示を省略する電源から供給される電力によって動作する。ＲＯＭ５０２は、後述するカード４００の処理をおこなうための各種のプログラムを記憶している。ＲＡＭ５０３は、ＣＰＵ５０１のワークエリアとして使用される。ＩＣチップ４１０は、ＣＰＵ５０１、ＲＯＭ５０２、ＲＡＭ５０３、メモリ５０４および通信用端子５０５によって構成されている。
【００５８】
メモリ５０４は、ＣＰＵ５０１によって駆動制御されて、各種の情報を記憶する。メモリ５０４は、ＣＰＵ５０１によって駆動制御されて、各種の情報を記憶する。メモリ５０４は、ＣＰＵ５０１の駆動制御によって、記憶している情報を消去する制御がなされるまで、当該記憶している情報を消去しない構成とされている。
【００５９】
メモリ５０４は、カード４００が後述する各種の処理をおこなう際に用いる各種のデータを記憶する複数のデータベースを備えている（図６−１〜図６−４を参照）。メモリ５０４は、具体的には、たとえば、ＥＰＲＯＭ（Ｅｒａｓａｂｌｅ  Ｐｒｏｇｒａｍｍａｂｌｅ  ＲＯＭ）などの、不揮発性の半導体メモリによって実現することができる。
【００６０】
通信用端子５０５は、決済端末装置１２０との間における通信を司る。通信用端子５０５は、決済端末装置１２０が備えるカードリーダライタ３１８、３３４を介して、決済端末装置１２０との間における通信を可能とする。カード４００は、通信用端子５０５を介して決済端末装置１２０が備えるカードリーダライタ３１８、３３４との間で通信をおこなうことによって、たとえば、決済端末装置１２０からカード決済の要求を受信したり、カード決済において付与されたポイントに関する情報を出力したりする。
【００６１】
ディスプレイ４２０は、ＣＰＵ５０１によって駆動制御されて、所定の情報を表示する。タッチパネル４２１は、入力操作に応じた信号をＣＰＵ５０１に対して出力する。ＣＰＵ５０１は、たとえば、タッチパネル４２１に対して所定の入力操作がおこなわれることにより当該タッチパネル４２１から出力された信号（操作位置を示す信号）と、当該信号が出力された時点においてディスプレイ４２０に表示している表示内容と、に基づいてディスプレイ４２０を制御して、当該入力操作に応じた所定の情報を表示する。
【００６２】
タッチパネル４２１は、指やペンなどの筆記部材が接触したことを検出した場合に、タッチパネル４２１に対する筆記部材の接触位置に応じた電気信号を、ＩＣチップ４１０が備えるＣＰＵに対して出力する。タッチパネル４２１は、たとえば、カード４００の利用者による入力操作を受け付けた場合に、入力操作を受け付けた位置を特定可能な情報（たとえば、Ｘ−Ｙ座標情報）をＩＣチップ４１０が備えるＣＰＵに対して出力する。
【００６３】
また、タッチパネル４２１は、タッチパネル４２１に対する筆記部材の接触が解除された場合は、ＩＣチップ４１０が備えるＣＰＵに対する信号の出力を停止する。あるいは、タッチパネル４２１は、タッチパネル４２１に対する筆記部材の接触が解除された場合に、タッチパネル４２１に対する筆記部材の接触がないことを示す信号を出力してもよい。
【００６４】
具体的には、タッチパネル４２１は、たとえば、抵抗膜方式、静電容量方式、電磁誘導方式、表面弾性波方式など公知の各種の方式によってタッチパネル４２１に対する筆記部材の接触位置を検出し、検出した接触位置に応じた電気信号を、ＩＣチップ４１０が備えるＣＰＵに対して出力する。電磁誘導方式を採用する場合、タッチパネル４２１に対する入力操作に際しては、電子ペンなどと称される専用の筆記部材を用いる。
【００６５】
充電式の電源５０６は、たとえば、充電可能な電池（充電池）５０６ａと、当該電池５０６ａに対する充電をおこなう充電制御回路５０６ｂと、カードリーダライタ３１８、３３４に接触して受電する充電端子５０６ｃと、によって実現することができる。充電端子５０６ｃは、たとえば、ＩＣチップ４１０の一部を構成し、データの読み書きに際してカード４００がカードリーダライタ３１８、３３４に装着されることによって受電する構成とすることができる。また、充電式の電源５０６は、電池５０６ａが過充電にならないように、上限の充電電圧を制御する電圧制御回路を備えていてもよい。カード４００が備える充電式の電源については、公知の技術を用いて容易に実現可能であるため、説明を省略する。
【００６６】
（データベース例）
つぎに、この発明にかかる実施の形態のカード４００が備える各種のデータベースについて説明する。図６−１〜図６−４は、この発明にかかる実施の形態のカード４００が備えるデータベース例を示す説明図である。
【００６７】
（集約カードデータベース）
図６−１においては、集約カードデータベースを示している。図６−１において、集約カードデータベース６１０は、カード４００に集約された各カード（以下「集約カード」という）の識別情報ごとに、カード名を示す情報と、種別を示す情報と、を関連付けて記憶する。カードの種別は、たとえば、「クレジットカード」、「ポイントカード」、「付帯カード」などのように目的に応じて集約されている。カード名は、各集約カードの発行元によって設定される。また、カード名は、たとえば、カード４００の利用者が任意に設定することができるようにしてもよい。
【００６８】
集約カードの識別情報は、カード４００に集約された集約カードを識別可能な情報であればよく、カード４００内において固有の情報とされる。集約カードの識別情報は、たとえば、カード４００に各集約カードが登録された順番に付与される通し番号によって実現することができる。あるいは、集約カードの識別情報は、各集約カードの種別と当該集約カードが登録された順番とを組み合わせた情報によって実現することができる。
【００６９】
具体的には、図６−１においては、たとえば、種別がクレジットカードに集約される集約カードの識別情報を、種別を示す「Ｃ−」と登録された順番を示す「１」、「２」、「・・・」などの通し番号と、を組み合わせた情報によって集約カードの識別情報が実現されている。また、具体的には、図６−１においては、たとえば、種別がポイントカードに集約されるカードの識別情報を種別を示す「Ｐ−」とし、種別が付帯カードに集約される集約カードの識別情報を種別を示す「Ｓ−」とし、これらの「Ｐ−」や「Ｓ−」などの情報に、登録された順番を示す「１」、「２」、「・・・」などの通し番号を組み合わせた情報によって集約カードの識別情報が実現されている。
【００７０】
（ポイントデータベース）
図６−２においては、ポイントデータベースを示している。図６−２において、ポイントデータベース６２０は、集約カードの識別情報ごとに、集約カード名を示す情報と、集約カードごとのポイント数を示す情報と、を関連付けて記憶する。
【００７１】
集約カードごとのポイント数は、たとえば、ポイントの発行元となる各集約カードの発行元が提供する特典を利用可能なポイント数とすることができる。具体的には、図６−２においては、たとえば、「ＷＩＺＡカード」のポイント数が「８５０ポイント」である場合、「ＷＩＺＡカード」の発行元が提供する８５０ポイント分の特典を受けることが可能であることを示す。
【００７２】
あるいは、集約カードごとのポイント数は、たとえば、特定の集約カードのポイント数に換算した場合に、当該特定の集約カードの発行元が提供する特典を利用可能なポイント数とすることができる。具体的には、図６−２においては、たとえば、「ＡＭＡ（ＷＩＺＡ）カード」のポイント数が「３００ポイント」である場合、「ＷＩＺＡカード」の発行元が提供する３００ポイント分の特典を受けることが可能であることを示すようにしてもよい。
【００７３】
この場合、「ＡＭＡ（ＷＩＺＡ）カード」の発行元が提供する特典を受けることが可能なポイント数をあわせて示すようにしてもよい。具体的には、図６−２においては、たとえば、「ＡＭＡ（ＷＩＺＡ）カード」の発行元が提供する９００ポイント分の特典を受けることが可能であることを示す。すなわち、この場合、「ＷＩＺＡカード」の１ポイントは、「ＡＭＡ（ＷＩＺＡ）カード」の３ポイントに換算されることを示す。
【００７４】
（利用金額データベース）
図６−３においては、利用金額データベースを示している。図６−３において、利用金額データベース６３０は、集約カードのうち、商品やサービスの対価を支払う決済に際して利用可能なクレジットカードなどのカード（決済カード）に関する情報を記憶する。
【００７５】
利用金額データベース６３０は、たとえば、決済カードの識別情報ごとに、決済カードのカード名を示す情報と、決済カードごとの利用金額を示す情報と、各決済カードの利用金額の引き落としがおこなわれる日付（以下「次回引落日」）を示す情報と、次回の引き落とし日に引き落とされる金額（以下「次回引落額」）を示す情報と、現時点においてカードの利用が可能な金額（以下「利用可能額」）を示す情報と、決済カードごとの固有の条件を示す個別情報と、を関連付けて記憶する。
【００７６】
利用金額は、現在日時を含む所定期間において各決済カードを用いておこなわれた決済金額を合計した金額を示す。所定期間は、前回の締め日の翌日から次回の締め日までの期間であって、たとえば１ヶ月とすることができる。締め日は、決済カードの発行元などのカード会社が加盟店への立替払金額やカード会員（利用者）への請求金額を確定するための締め切り日であり、たとえば「毎月１０日」、「毎月２５日」などのように設定されている。具体的には、たとえば締め日が「毎月１０日」であって現在日時が当月の４日である場合、利用金額は、先月１１日〜当月の４日までに各決済カードを用いておこなわれた決済金額を合計した金額を示す。利用金額は、所定期間内において、利用者がカード決済をおこなうごとに更新される。
【００７７】
次回引落日は、現在日時以降におこなわれる引き落としのうち、直近に引き落としがおこなわれる日付を示す。次回引落日は、引き落としがおこなわれた後に、次回の引落日に更新される。次回引落額は、過去の所定期間における利用金額であって、締め日を過ぎた時点で確定する。次回引落額は、締め日から当該締め日後に到来する引落日（次回引落日）までの間記憶される。次回引落額は、次回引落日の更新にともなって更新される。
【００７８】
たとえば、利用者が、「ボーナス払い」などのように、毎月の返済額に加えて年に２回のボーナス月に額面を上乗せして返済する支払い方法を選択し、毎月の引落日の間にボーナス払い分の引き落としがおこなわれる場合、毎月の引落日の後であってボーナス払いにかかる引落日までの間は、ボーナス払いにかかる金額が次回引落額とされ、ボーナス払いにかかる引落日が次回引落日とされる。
【００７９】
利用可能額は、現時点においてカードの利用が可能な金額であり、（利用可能額）＝（利用可能限度額）−（未払い金額）を演算することによって算出することができる。たとえば、利用限度額が１００万円、前月分の支払金額（確定し請求書が発行されているが次回引落日前の金額）が２０万円、当月分の支払金額（当月の途中であり未確定の金額）が１５万円であった場合、利用可能額は、１００万円−２０万円−１５万円＝６５万円と算出される。
【００８０】
次回引落日は、決済カードの発行元などによって指定され、たとえば、締め日の数日後に設定される。具体的には、たとえば、「毎月１０日」が締め日である場合、締め日から１４日（２週間）後の「締め日と同月の２４日」を、次回引落日として指定することができる。個別情報は、決済カードごとの個別の条件などを示す。具体的には、たとえば、当該カードの年会費、利用限度額、各カードの保険内容などを示す。
【００８１】
（加盟店データベース）
図６−４においては、加盟店データベースを示している。図６−４において、加盟店データベース６４０は、加盟店名ごとに、各加盟店の利用状況、各加盟店についての嗜好状況、各加盟店の特典、当該特典の利用条件などの情報を関連付けて記憶している。
【００８２】
各加盟店の利用状況は、たとえば、「１ヶ月以内における利用の有無」、「当月中の利用の有無」、「所定期間あたりの利用頻度」、「利用回数」などのように、店舗を利用することによって示すことができる。各加盟店についての嗜好状況は、たとえば、利用者が「お気に入り店舗」として指定したかどうかを示してもよい。各加盟店の特典は、たとえば、クーポン情報の有無および当該クーポン情報の内容などを示す。特典の利用条件は、たとえば、「３０００円以上利用の場合」、「次回来店時」などのように特典を利用できる条件を示す。
【００８３】
（表示画面例）
つぎに、この発明にかかる実施の形態のカード４００がディスプレイ４２０に表示する表示画面例について説明する。図７−１〜図７−１０は、この発明にかかる実施の形態のカード４００がディスプレイ４２０に表示する表示画面例を示す説明図である。この発明にかかる実施の形態のカードは、図７−１〜図７−１０に示した各種の表示画面をディスプレイに表示する。
【００８４】
図７−１において、表示画面７１０は、この発明にかかる実施の形態のカード４００の起動時に表示される「メニュー」画面を示している。表示画面（メニュー画面）７１０は、確認可能な項目を示すマークを表示する。確認可能な項目を示すマークは、当該マークが示す項目の詳細を表示させる操作をおこなうための操作位置を案内する。具体的には、たとえば、表示画面７１０において「ポイント数確認」のマーク位置が操作された場合、集約されたカードごとのポイント数を示す表示画面（図７−２を参照）に切り換えて表示される。
【００８５】
表示画面７１０は、カード４００の電池５０６ａに充電された残りの電気量（電池残量）を表示してもよい。カード４００の電池残量は、たとえば、残量に応じて表示内容が変化するインジケータによって表示することができる。また、カード４００の電池残量は、たとえば、当該電池残量が所定量以下になった場合にのみ表示されるものであってもよい。この場合、たとえば、「充電してください」などのメッセージを表示することによってカード４００の電池残量を案内することができる。
【００８６】
図７−２において、表示画面７２０は、上記の表示画面７１０を表示している状態において、「ポイント数確認」の位置が操作された場合に表示される。表示画面７２０は、集約カードのうちポイントを溜めることが可能なポイントカードごとのポイント数を示す。表示画面７２０は、特定のポイント数に達するまでのカード４００の利用金額を案内するメッセージを表示してもよい。
【００８７】
図７−３において、表示画面７３０は、上記の表示画面７１０を表示している状態において、「利用金額確認」の位置が操作された場合に表示される。表示画面７３０は、「利用金額確認」の位置が操作された時点における決済カードの利用金額を示す。複数枚の決済カードを集約している場合、すべての決済カードの利用金額の合計金額を示してもよい。あるいは、複数枚の決済カードを集約している場合、決済カードごとに利用金額を示してもよい。
【００８８】
また、表示画面７３０は、次回の支払い（引落し）予定金額を表示してもよい。複数枚の決済カードを集約している場合、すべての決済カードについての次回の支払い（引落し）予定金額の合計金額を表示してもよい。これにより、利用者に対して、次回の支払い（引落し）日までに準備する金額を、分かりやすく案内することができる。複数枚の決済カードを集約している場合であって、かつ、各決済カードの利用金額の支払い（引落し）予定日が異なる場合、支払い（引落し）予定日ごとに支払い（引落し）予定金額を表示してもよい。
【００８９】
図７−４において、表示画面７４０は、上記の表示画面７１０を表示している状態において、「集約カード情報」の位置が操作された場合に表示される。表示画面７４０は、「クレジットカード」、「ポイントカード」、「付帯カード」などのように、集約カードの種別ごとに、集約カードを個別に示す情報を表示する。集約カードを個別に示す情報は、たとえば、各集約カードを模したアイコン状のマークとすることができる。これにより、どの集約カードがいずれの種別に集約されているかを、容易かつ確実に案内することができる。
【００９０】
図７−５において、表示画面７５０は、上記の表示画面７４０を表示している状態において、特定の集約カードの位置が操作された場合に表示される。たとえば、上記の表示画面７４０を表示している状態において、クレジットカードの種別に集約された集約カードのうちの一つを示す位置が操作された場合、表示画面７５０は、当該集約カードの所持にかかる年会費や利用枠、当該集約カードに適用される保険の内容、などを示す情報を表示する。
【００９１】
表示画面７５０においては、カード４００における表示内容を、表示画面７５０の上位の表示画面７１０、７４０に切り換えるための操作位置を示すマークを表示してもよい。具体的には、表示画面７５０においては、表示画面７５０から表示画面７４０に切り換えるための操作位置を示す「集約カード一覧へ戻る」というキーを示すマークや、表示画面７５０から表示画面７１０に切り換えるための操作位置を示す「メニューへ戻る」というキーを示すマークなどが表示されている。
【００９２】
図７−６において、表示画面７６０は、上記の表示画面７１０を表示している状態において、「加盟店情報」の位置が操作された場合に表示される。表示画面７６０は、加盟店データベース６４０に記憶された各情報を、項目ごとに表示させるための操作位置を示すマークを表示する。加盟店データベース６４０に記憶された各情報を、項目ごとに表示させるための操作位置を示すマークは、たとえば、「最近利用した加盟店情報」、「お気に入り加盟店情報」、「クーポン情報」などを表示させるための操作位置を示す。
【００９３】
図７−７において、表示画面７７０は、上記の表示画面７６０を表示している状態において、「各種設定」の位置が操作された場合に表示される。表示画面７７０は、たとえば、「いずれの店舗で、どの集約カード（決済カード）を支払いに利用し、利用に際して発行されたポイントをどの集約カード（ポイントカード）に溜めるか」などを設定する。
【００９４】
表示画面７７０においては、カード４００における表示内容を、表示画面７７０の上位の表示画面７１０、７６０に切り換えるための操作位置を示すマークを表示してもよい。具体的には、表示画面７７０においては、表示画面７７０から表示画面７６０に切り換えるための操作位置を示す「加盟店情報へ戻る」というキーを示すマークや、表示画面７７０から表示画面７１０に切り換えるための操作位置を示す「メニューへ戻る」というキーを示すマークなどが表示されている。
【００９５】
図７−８において、表示画面７８０は、上記の表示画面７６０を表示している状態において、「クーポン情報」の位置が操作された場合に表示される。表示画面７８０は、カードに各集約カードに対して発行されたクーポン情報を表示する。表示画面７８０においては、カード４００における表示内容を、表示画面７８０の上位の表示画面７１０、７６０に切り換えるための操作位置を示すマークを表示してもよい。
【００９６】
具体的には、表示画面７８０においては、表示画面７８０から表示画面７６０に切り換えるための操作位置を示す「加盟店情報へ戻る」というキーを示すマークや、表示画面７８０から表示画面７１０に切り換えるための操作位置を示す「メニューへ戻る」というキーを示すマークなどが表示されている。
【００９７】
図７−９において、表示画面７９０は、集約カードのうちの決済カードを用いて決済をおこない、当該決済によってポイントが発行された場合に表示される。表示画面７９０は、決済の内容および当該決済によって発行されたポイント数を表示する。また、表示画面７９０は、決済によって発行されたポイントを、いずれの集約カードのポイントとして溜めるかを確認する情報を表示する。
【００９８】
具体的には、たとえば、表示画面７９０は、「ＷＩＺＡカード」という決済カードを用いて決済をおこなった結果、１０ポイントが発行された場合に表示される。この１０ポイントを、「ＷＩＺＡカード」のポイントとして溜める場合「Ｙｅｓ」の位置を操作させ、「ＷＩＺＡカード」以外の集約カードのポイントとして溜める場合「Ｎｏ」の位置を操作させる。
【００９９】
図７−１０において、表示画面７９１は、上記の表示画面７９０を表示している状態において、「Ｎｏ」の位置が操作された場合に表示される。表示画面７９１は、「ＷＩＺＡカード」というクレジットカードを用いておこなった決済で発行されたポイントを溜めるカードを指定させるため、ポイントを溜めることが可能なカードを示すマークを表示する。図７−１０においては、ポイントを溜めるカードとして「ＮＹＡＯＮ」カードが選択された状態を示している。
【０１００】
表示画面７９１は、選択されたカードに、直前の決済で発行されたポイントを溜めるかどうかを確認するメッセージを表示してもよい。表示画面７９１の表示中に、ポイントを溜めるカードを選択した状態で「決定」のマークが操作された場合、直前の決済で発行されたポイントを、選択されたカードのポイントとして記憶する。
【０１０１】
（カードの機能的構成）
つぎに、この発明にかかる実施の形態のカード４００の機能的構成について説明する。図８は、この発明にかかる実施の形態のカード４００の機能的構成を示す説明図である。図８において、この発明にかかる実施の形態のカード４００の各機能は、充電部８０１と、表示部８０２と、集約カード情報記憶部８０３と、操作受付部８０４と、集約カード情報抽出部８０５と、決済処理部８０６と、店舗情報取得部８０７と、ポイント情報取得部８０８と、によって実現される。
【０１０２】
カード４００において、充電部８０１、表示部８０２、集約カード情報記憶部８０３、操作受付部８０４、集約カード情報抽出部８０５、決済処理部８０６、店舗情報取得部８０７およびポイント情報取得部８０８は、カード４００が備える各部によって実現することができる（図４および図５を参照）。
【０１０３】
充電部８０１は、決済端末装置１２０に装着された場合に当該決済端末装置１２０から受電し、受電した電気を電池５０６ａに充電する。表示部８０２は、電池５０６ａから供給される電力を用いてディスプレイ４２０を制御して、各種の情報をディスプレイ４２０に表示する。表示部８０２は、たとえば、図７−１〜７−１０に示したような表示画面をディスプレイに表示する。
【０１０４】
集約カード情報記憶部８０３は、たとえば、クレジットカードなどの決済カードを含む複数種類のカードに関するカード情報をカードの種類に応じて集約した集約項目ごとに関連付けて記憶する。集約カード情報記憶部８０３は、たとえば、上述した各種のデータベース６１０、６２０、６３０、６４０を記憶する。
【０１０５】
集約カード情報記憶部８０３においては、たとえば、複数種類の決済カードに関するカード情報を記憶することができる。また、集約カード情報記憶部８０３においては、決済を実行した場合にポイントを付与する店舗および付与されたポイントの数を示すカード（以下「ポイントカード」という）に関するカード情報を店舗ごとに記憶していてもよい。
【０１０６】
操作受付部８０４は、ディスプレイ４２０に表示された集約項目の中から任意の集約項目を指定する入力操作を受け付ける。具体的には、操作受付部８０４は、たとえば、図７−１に示した表示画面７１０において「利用金額確認」という集約項目を指定する入力操作を受け付ける。また、操作受付部８０４は、付与されたポイントを各ポイントカードに任意の割合で振り分ける入力操作を受け付けてもよい。
【０１０７】
上記の表示部８０２は、操作受付部８０４が受け付けた入力操作に応じて、ディスプレイ４２０に表示する情報を切り換える。具体的には、表示部８０２は、たとえば、図７−１に示した表示画面７１０をディスプレイ４２０に表示した状態において操作受付部８０４が「利用金額確認」という集約項目を指定する入力操作を受け付けた場合、カード４００に集約された決済カードを用いておこなった決済の合計金額を示す情報をディスプレイ４２０に表示する。
【０１０８】
操作受付部８０４は、付与されたポイントを各ポイントカードに任意の割合で振り分ける入力操作を受け付けることができる。操作受付部８０４がこの入力操作を受け付けた場合、集約カード情報記憶部８０３は、受け付けた入力操作に応じて、付与されたポイントを各ポイントカードに任意の割合で振り分けて記憶することができる。
【０１０９】
集約カード情報抽出部８０５は、カード４００が決済端末装置１２０に装着され、当該決済端末装置１２０から決済処理の実行に用いる情報の要求を受け付けた場合に、集約カード情報記憶部８０３が記憶するカード情報に含まれる優先順位を示す情報に基づいて決済カードを特定し、特定された決済カードのカード情報を抽出する。決済処理部８０６は、集約カード情報抽出部８０５が抽出したカード情報を用いて決済端末装置１２０との間で決済処理を実行する。
【０１１０】
店舗情報取得部８０７は、決済端末装置１２０に装着された場合に、当該決済端末装置１２０から当該決済端末装置１２０が設置された店舗に関する情報を取得する。集約カード情報抽出部８０５は、店舗情報取得部８０７が店舗に関する情報を取得した場合、店舗情報取得部８０７が取得した情報および優先順位を示す情報に基づいて決済カード情報を抽出する。
【０１１１】
ポイント情報取得部８０８は、決済端末装置１２０から、当該決済端末装置１２０が設置された店舗に関する情報および決済を実行した場合に付与されたポイントの数に関する情報を取得する。上記の表示部８０２は、ポイント情報取得部８０８が取得した情報および集約カード情報記憶部８０３が記憶するカード情報に基づいて、付与されたポイントの数およびポイントカードに関するカード情報をディスプレイ４２０に表示する。
【０１１２】
（カード４００の処理手順）
つぎに、この発明にかかる実施の形態のカード４００の処理手順について説明する。図９、図１０、図１１、図１２、図１３および図１４は、この発明にかかる実施の形態のカード４００の処理手順を示すフローチャートである。
【０１１３】
図９のフローチャートにおいて、まず、所定の入力操作による起動指示があったか否かを判断する（ステップＳ９０１）。ステップＳ９０１において、起動指示がない場合（ステップＳ９０１：Ｎｏ）は、起動指示があるまで待機する。ステップＳ９０１において、起動指示があった場合（ステップＳ９０１：Ｙｅｓ）は、図７−１に示した表示画面（メニュー画面）７１０を表示する。
【０１１４】
つぎに、表示画面７１０を表示している状態で、「利用金額確認」キーが操作されたか否かを判断する（ステップＳ９０３）。ステップＳ９０３において、「利用金額確認」キーが操作された場合（ステップＳ９０３：Ｙｅｓ）は、利用金額関連処理（図１０を参照）を実行して（ステップＳ９０４）、一連の処理を終了する。
【０１１５】
ステップＳ９０３において、「利用金額確認」キーが操作されていない場合（ステップＳ９０３：Ｎｏ）、「ポイント数確認」キーが操作されたか否かを判断する（ステップＳ９０５）。ステップＳ９０５において、「ポイント数確認」キーが操作された場合（ステップＳ９０５：Ｙｅｓ）は、ポイント関連処理（図１１を参照）を実行して（ステップＳ９０６）、一連の処理を終了する。
【０１１６】
ステップＳ９０５において、「ポイント数確認」キーが操作されていない場合（ステップＳ９０５：Ｎｏ）は、「集約カード情報」キーが操作されたか否かを判断する（ステップＳ９０７）。ステップＳ９０７において、「集約カード情報」キーが操作された場合（ステップＳ９０７：Ｙｅｓ）は、集約カード関連処理（図１２を参照）を実行して（ステップＳ９０８）、一連の処理を終了する。
【０１１７】
ステップＳ９０７において、「集約カード情報」キーが操作されていない場合（ステップＳ９０７：Ｎｏ）は、「加盟店情報」キーが操作されたか否かを判断する（ステップＳ９０９）。ステップＳ９０９において、「加盟店情報」キーが操作された場合（ステップＳ９０９：Ｙｅｓ）は、加盟店関連処理を実行して（ステップＳ９１０）、一連の処理を終了する。
【０１１８】
ステップＳ９０９において、「加盟店情報」キーが操作されていない場合（ステップＳ９０９：Ｎｏ）は、ステップＳ９０２において表示画面（メニュー画面）７１０を表示してから所定時間が経過したか否かを判断する（ステップＳ９１１）。ステップＳ９１１において、ステップＳ９０２において表示画面（メニュー画面）７１０を表示してから所定時間が経過していない場合（ステップＳ９１１：Ｎｏ）はステップＳ９０３へ戻る。一方、ステップＳ９１１において、ステップＳ９０２において表示画面（メニュー画面）７１０を表示してから所定時間が経過した場合（ステップＳ９１１：Ｙｅｓ）は、一連の処理を終了する。
【０１１９】
ステップＳ９１１：Ｙｅｓにおいて、ステップＳ９０２において表示画面（メニュー画面）７１０を表示してから所定時間が経過した場合は、ディスプレイ４２０の表示を消灯してから一連の処理を終了するように制御してもよい。このように、起動指示があっても、当該起動指示に応じて表示画面７１０を表示してから所定時間経過するまでの間に利用者からの入力操作がおこなわれない場合はディスプレイ４２０の表示を消灯することにより、カード４００の電池（電源）の消耗を極力抑制することができる。
【０１２０】
図１０のフローチャートにおいては、上記の図９のステップＳ９０４において実行される利用金額関連処理の流れを示している。図１０のフローチャートにおいて、まず、決済カードのカード情報を抽出する（ステップＳ１００１）。そして、ステップＳ１００１において抽出したカード情報に基づいて、表示用の利用金額情報を生成する（ステップＳ１００２）。ステップＳ１００２においては、たとえば、図７−３に示した表示画面７３０をディスプレイ４２０に表示するための情報を、表示用の利用金額情報として生成する。
【０１２１】
つぎに、ステップＳ１００２において生成した表示用の利用金額情報をディスプレイ４２０に表示する（ステップＳ１００３）。ステップＳ１００３において利用金額情報を表示することにより、表示画面７３０がディスプレイ４２０に表示される。その後、表示画面７３０を表示した状態で、「戻る」キーが操作されたか否かを判断する（ステップＳ１００４）。
【０１２２】
ステップＳ１００４において、表示画面７３０を表示した状態で、「戻る」キーが操作された場合（ステップＳ１００４：Ｙｅｓ）は、図７−１に示した表示画面（メニュー画面）７１０をディスプレイ４２０に表示して（ステップＳ１００５）、図９のステップＳ９０２へ移行する。
【０１２３】
一方、ステップＳ１００４において、「戻る」キーが操作されていない場合（ステップＳ１００４：Ｎｏ）は、ステップＳ１００３において表示画面７３０を表示してから所定時間が経過したか否かを判断する（ステップＳ１００６）。ステップＳ１００６において、ステップＳ１００３において表示画面７３０を表示してから所定時間が経過していない場合（ステップＳ１００６：Ｎｏ）は、ステップＳ１００４に戻る。
【０１２４】
ステップＳ１００３において表示画面７３０を表示してから所定時間が経過した場合（ステップＳ１００６：Ｙｅｓ）は、ディスプレイ４２０の表示を消灯して（ステップＳ１００７）、一連の処理を終了する。表示画面７３０を表示してから所定時間経過するまでの間に利用者からの入力操作がおこなわれない場合はディスプレイ４２０の表示を消灯することにより、カード４００の電池（電源）の消耗を極力抑制することができる。
【０１２５】
図１１のフローチャートにおいては、上記の図９のステップＳ９０６において実行されるポイント関連処理の流れを示している。図１１のフローチャートにおいて、まず、ポイントカード情報を抽出する（ステップＳ１１０１）。そして、ステップＳ１１０１において抽出したポイントカード情報に基づいて、表示用のポイントカード情報を生成する（ステップＳ１１０２）。ステップＳ１１０２においては、たとえば、図７−２に示した表示画面７２０をディスプレイ４２０に表示するための情報を、表示用のポイントカード情報として生成する。
【０１２６】
つぎに、ステップＳ１１０２において生成した表示用のポイントカード情報をディスプレイ４２０に表示する（ステップＳ１１０３）。ステップＳ１１０３においてポイントカード情報を表示することにより、表示画面７２０がディスプレイ４２０に表示される。その後、表示画面７２０を表示した状態で「メニューへ戻る」キーが操作されたか否かを判断する（ステップＳ１１０４）。
【０１２７】
ステップＳ１１０４において、表示画面７２０を表示した状態で「メニューへ戻る」キーが操作された場合（ステップＳ１１０４：Ｙｅｓ）は、図７−１に示した表示画面（メニュー画面）７１０をディスプレイ４２０に表示して（ステップＳ１１０５）、図９のステップＳ９０２へ移行する。
【０１２８】
一方、ステップＳ１１０４において、表示画面７２０を表示した状態で「メニューへ戻る」キーが操作されていない場合（ステップＳ１１０４：Ｎｏ）は、ステップＳ１１０３において表示画面７２０を表示してから所定時間が経過したか否かを判断する（ステップＳ１１０６）。ステップＳ１１０６において、ステップＳ１１０３において表示画面７２０を表示してから所定時間が経過していない場合（ステップＳ１１０６：Ｎｏ）は、ステップＳ１１０４へ戻る。
【０１２９】
ステップＳ１１０６において、ステップＳ１１０３において表示画面７２０を表示してから所定時間が経過した場合（ステップＳ１１０６：Ｙｅｓ）は、ディスプレイ４２０の表示を消灯して（ステップＳ１１０７）、一連の処理を終了する。表示画面７２０を表示してから所定時間経過するまでの間に利用者からの入力操作がおこなわれない場合はディスプレイ４２０の表示を消灯することにより、カード４００の電池（電源）の消耗を極力抑制することができる。
【０１３０】
図１２のフローチャートにおいては、上記の図９のステップＳ９０８において実行される集約カード関連処理の流れを示している。図１２のフローチャートにおいて、まず、集約カード情報を抽出する（ステップＳ１２０１）。そして、ステップＳ１２０１において抽出した集約カード情報に基づいて、表示用の集約カード情報を生成する（ステップＳ１２０２）。ステップＳ１２０２においては、たとえば、図７−４に示した表示画面７４０をディスプレイ４２０に表示するための情報を、表示用の集約カード情報として生成する。
【０１３１】
つぎに、ステップＳ１２０２において生成した表示用の集約カード情報をディスプレイ４２０に表示する（ステップＳ１２０３）。ステップＳ１２０３において集約カード情報を表示することにより、表示画面７４０がディスプレイ４２０に表示される。その後、表示画面７４０を表示した状態で、「メニューへ戻る」キーが操作されたか否かを判断する（ステップＳ１２０４）。
【０１３２】
ステップＳ１２０４において、表示画面７４０を表示した状態で、「メニューへ戻る」キーが操作されていない場合（ステップＳ１２０４：Ｎｏ）は、ステップＳ１２０４において表示画面７４０を表示してから所定時間が経過したか否かを判断する（ステップＳ１２０５）。
【０１３３】
ステップＳ１２０５において、ステップＳ１２０４において表示画面７４０を表示してから所定時間が経過していない場合（ステップＳ１２０５：Ｎｏ）は、表示画面７４０を表示した状態で集約された各カードを模したアイコン状のマークが操作されることにより、個別のカードが指定されたか否かを判断する（ステップＳ１２０６）。ステップＳ１２０６において、個別のカードが指定されていない場合（ステップＳ１２０６：Ｎｏ）は、ステップＳ１２０４へ戻る。
【０１３４】
ステップＳ１２０６において、個別のカードが指定された場合（ステップＳ１２０６：Ｙｅｓ）は、表示用の個別カード情報を生成する（ステップＳ１２０７）。ステップＳ１２０７においては、たとえば、図７−５に示した表示画面７５０をディスプレイ４２０に表示するための情報を、表示用の個別カード情報として生成する。
【０１３５】
つぎに、ステップＳ１２０７において生成した表示用の個別カード情報をディスプレイ４２０に表示する（ステップＳ１２０８）。ステップＳ１２０８において個別カード情報を表示することにより、表示画面７５０がディスプレイ４２０に表示される。その後、表示画面７５０を表示した状態で、「集約カード一覧へ戻る」キーが操作されたか否かを判断する（ステップＳ１２０９）。ステップＳ１２０９において、表示画面７５０を表示した状態で、「集約カード一覧へ戻る」キーが操作された場合（ステップＳ１２０９：Ｙｅｓ）は、ステップＳ１２０４へ戻る。
【０１３６】
一方、ステップＳ１２０９において、表示画面７５０を表示した状態で、「集約カード一覧へ戻る」キーが操作されていない場合（ステップＳ１２０９：Ｎｏ）は、「メニューへ戻る」キーが操作されたか否かを判断する（ステップＳ１２１０）。ステップＳ１２１０において、「メニューへ戻る」キーが操作されていない場合（ステップＳ１２１０：Ｎｏ）は、ステップＳ１２０８において表示画面７５０を表示してから所定時間が経過したか否かを判断する（ステップＳ１２１１）。
【０１３７】
ステップＳ１２１１において、ステップＳ１２０８において表示画面７５０を表示してから所定時間が経過していない場合（ステップＳ１２１１：Ｎｏ）は、ステップＳ１２０９へ戻る。一方、ステップＳ１２１１において、ステップＳ１２０８において表示画面７５０を表示してから所定時間が経過した場合（ステップＳ１２１１：Ｙｅｓ）は、ディスプレイの表示を消灯して（ステップＳ１２１２）、一連の処理を終了する。表示画面７５０を表示してから所定時間経過するまでの間に利用者からの入力操作がおこなわれない場合はディスプレイの表示を消灯することにより、カード４００の電池（電源）の消耗を極力抑制することができる。
【０１３８】
上記のステップＳ１２１０およびステップＳ１２０４において「メニューへ戻る」キーが操作された場合（ステップＳ１２１０：Ｙｅｓ）は、図７−１に示した表示画面（メニュー画面）７１０をディスプレイ４２０に表示して（ステップＳ１２１３）、図９のステップＳ９０２へ移行する。
【０１３９】
上記のステップＳ１２０５において、ステップＳ１２０４において表示画面７４０を表示してから所定時間が経過した場合（ステップＳ１２０５：Ｙｅｓ）は、ステップＳ１２１２へ移行し、ディスプレイ４２０の表示を消灯して（ステップＳ１２１２）、一連の処理を終了する。表示画面７４０を表示してから所定時間経過するまでの間に利用者からの入力操作がおこなわれない場合はディスプレイの表示を消灯することにより、カード４００の電池（電源）の消耗を極力抑制することができる。
【０１４０】
上記の図９のステップＳ９１０において実行される加盟店関連処理は、図示は省略するが、図７−６に示した表示画面７６０を表示している状態で、「最近利用した加盟店情報」キー、「お気に入り加盟店情報」キー、「各種設定」キー、「クーポン情報」キーのいずれのキーが操作されたかに応じて、操作されたキーに応じた表示画面をディスプレイ４２０に表示する。
【０１４１】
たとえば、表示画面７６０を表示している状態で「最近利用した加盟店情報」キーが操作された場合、図６−４の加盟店データベースにおいて登録されている加盟店に関する情報の一覧を表示する。また、たとえば、表示画面７６０を表示している状態で「お気に入り加盟店情報」キーが操作された場合、図６−４の加盟店データベースにおいて「お気に入り」として登録されている加盟店に関する情報の一覧を表示する。
【０１４２】
また、たとえば、表示画面７６０を表示している状態で「各種設定」キーが操作された場合、図７−７に示した表示画面７７０を表示する。表示画面７７０を表示している間は、操作されたキーに応じて、「いずれの店舗で、どのカードを支払いに利用し、利用に際して発行されたポイントをどのポイントカードに溜めるか」などを設定することができる。
【０１４３】
また、たとえば、表示画面７６０を表示している状態で「クーポン情報」キーが操作された場合、図７−８に示した表示画面７８０を表示する。クーポン情報は、たとえば、カードを用いて決済をおこなう際に当該クーポン情報が示す特典を利用した場合や、当該クーポンの期限を超過した場合などに加盟店データベース６４０から削除される。
【０１４４】
図１３のフローチャートにおいては、カードを用いた決済に際して実行される処理の流れを示している。図１３のフローチャートにおいて、まず、カードが決済端末装置１２０に装着されるまで待機する（ステップＳ１３０１：Ｎｏ）。ステップＳ１３０１において、カードが決済端末装置１２０に装着された場合（ステップＳ１３０１：Ｙｅｓ）は、充電処理を開始する（ステップＳ１３０２）。
【０１４５】
そして、ステップＳ１３０２において開始した充電処理によって電源へ電気が充電され、電池５０６ａの充電量が満量となることにより充電が完了したか否かを判断する（ステップＳ１３０３）。充電が完了していない場合（ステップＳ１３０３：Ｎｏ）は、決済が完了することによりカードが決済端末装置１２０から取り外されたか否かを判断する（ステップＳ１３０４）。ステップＳ１３０４において、決済が完了することによりカードが決済端末装置１２０から取り外されていない場合（ステップＳ１３０４：Ｎｏ）は、ステップＳ１３０３に戻る。
【０１４６】
ステップＳ１３０３において充電が完了した場合（ステップＳ１３０３：Ｙｅｓ）あるいはステップＳ１３０４においてカードが決済端末装置１２０から取り外された場合（ステップＳ１３０４：Ｙｅｓ）は、充電処理を停止して（ステップＳ１３０５）、一連の処理を終了する。
【０１４７】
このように、カード４００が決済端末装置１２０に装着されるごとに電源への充電をおこなうことにより、利用者の来店機会を確保し、カード４００の利用促進を図ることができる。なお、充電は、決済端末装置１２０に装着され、かつ、決済が完了した場合におこなうようにしてもよい。これによって、確実なカード４００（決済カード）の利用促進を図ることができる。
【０１４８】
図１４のフローチャートにおいては、カード４００を用いた決済がおこなわれ、かつ、当該決済においてポイントが付与された場合に実行される処理の流れを示している。当該決済においてポイントが付与された場合、当該ポイントに関する情報が決済端末装置１２０からカード４００に出力される。
【０１４９】
図１４のフローチャートにおいて、まず、カード４００を用いた決済が完了したか否かを判断する（ステップＳ１４０１）。ステップＳ１４０１においては、たとえば、カード４００が決済端末装置１２０から取り外されたか否かを判断し、カード４００が決済端末装置１２０から取り外されたことによってカード４００を用いた決済が完了したと判断することができる。
【０１５０】
また、ステップＳ１４０１においては、たとえば、決済端末装置１２０からカード４００に対して決済の完了を示す信号が入力されたか否かを判断し、当該信号が入力された場合に、カード４００を用いた決済が完了したと判断するようにしてもよい。あるいは、ステップＳ１４０１においては、たとえば、決済端末装置１２０によってカードに記憶された情報の読み取りがおこなわれたか否かを判断し、当該読み取りがおこなわれた場合に、カード４００を用いた決済が完了したと判断するようにしてもよい。
【０１５１】
ステップＳ１４０１において、カード４００を用いた決済が完了していない場合（ステップＳ１４０１：Ｎｏ）は、カード４００を用いた決済が完了するまで待機する。一方、ステップＳ１４０１において、カード４００を用いた決済が完了した場合（ステップＳ１４０１：Ｙｅｓ）は、ステップＳ１４０１：Ｙｅｓにおいて完了した決済において、ポイントが付与されたか否かを判断する（ステップＳ１４０２）。
【０１５２】
ステップＳ１４０２においては、たとえば、決済端末装置１２０から出力されたポイントに関する情報を受信したか否かを判断し、決済端末装置１２０から出力されたポイントに関する情報を受信した場合に、ポイントが付与されたと判断することができる。ステップＳ１４０２において、ポイントが付与されていない場合（ステップＳ１４０２：Ｎｏ）は、一連の処理を終了し、決済を終了する。
【０１５３】
ステップＳ１４０２において、ポイントが付与された場合（ステップＳ１４０２：Ｙｅｓ）は、当該ポイントが付与された決済に用いた集約カード（決済カード）のポイントとして記憶するか否かを確認する表示画面情報（以下「確認用表示画面情報」という）を生成する（ステップＳ１４０３）。ステップＳ１４０３においては、たとえば、図７−９に示した表示画面７９０をディスプレイ４２０に表示するための情報を、確認用表示画面情報として生成する。
【０１５４】
ステップＳ１４０４においては、ディスプレイ４２０に確認用表示画面情報を表示する（ステップＳ１４０４）。ステップＳ１４０４において、ディスプレイ４２０に確認用表示画面情報を表示することにより、図７−９に示した表示画面７９０がディスプレイ４２０に表示される。
【０１５５】
そして、表示画面７９０を表示した状態で「Ｙｅｓ」キーが操作されたか否かを判断する（ステップＳ１４０５）。ステップＳ１４０５において、表示画面７９０を表示した状態で「Ｙｅｓ」キーが操作された場合（ステップＳ１４０５：Ｙｅｓ）は、決済において付与されたポイントを、決済に用いたカードのポイントとして記憶して（ステップＳ１４０６）、一連の処理を終了する。ステップＳ１４０５において、表示画面７９０を表示した状態で「Ｙｅｓ」キーが操作されていない場合（ステップＳ１４０５：Ｎｏ）は、表示画面７９０を表示した状態で「Ｎｏ」キーが操作されたか否かを判断する（ステップＳ１４０７）。
【０１５６】
ステップＳ１４０７において、表示画面７９０を表示した状態で「Ｎｏ」キーが操作された場合（ステップＳ１４０７：Ｙｅｓ）は、ステップＳ１４０２：Ｙｅｓにおいて付与されたと判断したポイントを記憶することができる集約カード、すなわちポイントを移行できる集約カード（ポイントカード）に関する情報を抽出する（ステップＳ１４０８）。ステップＳ１４０８においては、たとえば、決済に用いたカードの発行元と提携している企業が発行した集約カード（ポイントカード）に関する情報を抽出する。
【０１５７】
そして、ステップＳ１４０８において抽出した情報に基づいて、カード決済において付与されたポイントを当該決済に用いた集約カード（決済カード）に代えて記憶する集約カードを確認する表示画面情報（以下「移行先確認用表示画面情報」という）を生成する（ステップＳ１４０９）。ステップＳ１４０９においては、たとえば、図７−１０に示した表示画面７９１をディスプレイ４２０に表示するための情報を、移行先確認用表示画面情報として生成する。
【０１５８】
つぎに、ステップＳ１４０９において生成した移行先確認用表示画面情報をディスプレイ４２０に表示する（ステップＳ１４１０）。ステップＳ１４１０において移行先確認用表示画面情報を表示することにより、表示画面７９１がディスプレイ４２０に表示される。運用上、利用者は、表示画面７９１において、移行先となるカードを指定し、その後「決定」キーを操作するものとする。たとえば、表示画面７９１の例においては、移行先となるカードとして「ＮＹＡＯＮカード」を指定した状態を示している。
【０１５９】
ステップＳ１４１１においては、表示画面７９１を表示した状態で「決定」キーが操作されたか否かを判断する（ステップＳ１４１１）。ステップＳ１４１１において、表示画面７９１を表示した状態で「決定」キーが操作された場合（ステップＳ１４１１：Ｙｅｓ）は、カード決済において付与されたポイントを指定された集約カード（ポイントカード）のポイントとして記憶して（ステップＳ１４１２）、一連の処理を終了する。
【０１６０】
たとえば、表示画面７９１の状態において「決定」キーが操作された場合、ステップＳ１４１１の処理をおこなうことにより、「ＷＩＺＡカード」を用いておこなったカード決済において付与されたポイントを、「ＮＹＡＯＮカード」のポイントとして記憶する。
【０１６１】
なお、カードにおいては、カードを用いておこなった決済において付与されたポイントを、任意の割合で分割して複数のカードのポイントに移行して記憶させることができるようにしてもよい。この場合、たとえば、運用上、利用者に対して、表示画面７１０において複数の集約カード（ポイントカード）を選択した状態で「決定」キーを操作させる。
【０１６２】
カード４００は、複数の集約カード（ポイントカード）が選択された状態で「決定」キーが操作された場合、ディスプレイ４２０に「各カードに記憶するポイント数を指定してください」などのメッセージを表示する。利用者は、カード４００のディスプレイ４２０に表示されたメッセージにしたがって、たとえば、決済において付与された１０ポイントのうち「５ポイントをＷＩＺＡカード、５ポイントをＮＹＡＯＮカード」のように、ポイントを分割する割合と、分割した各ポイントを記憶させるカードとを指定する。
【０１６３】
ステップＳ１４１１において、表示画面７９１を表示した状態で「決定」キーが操作されていない場合（ステップＳ１４１１：Ｎｏ）は、ステップＳ１４１０において表示画面７９１を表示してから所定時間が経過したか否かを判断する（ステップＳ１４１３）。ステップＳ１４１３において、ステップＳ１４１０において表示画面７９１を表示してから所定時間が経過していない場合（ステップＳ１４１３：Ｎｏ）は、ステップＳ１４１１に戻る。
【０１６４】
一方、ステップＳ１４１３において、ステップＳ１４１０において表示画面７９１を表示してから所定時間が経過した場合（ステップＳ１４１３：Ｙｅｓ）は、ステップＳ１４０６へ移行する。これにより、表示画面７９１を表示してから所定時間が経過した時点において、ポイントの移行先が指定されていない場合、決済において付与されたポイントは、決済に用いた決済カードのポイントとして記憶される。
【０１６５】
ステップＳ１４０７において、表示画面７９０を表示した状態で「Ｎｏ」キーが操作されていない場合（ステップＳ１４０７：Ｎｏ）は、ステップＳ１４０４において表示画面７９０を表示してから所定時間が経過したか否かを判断する（ステップＳ１４１４）。ステップＳ１４１４において、ステップＳ１４０４において表示画面７９０を表示してから所定時間が経過していない場合（ステップＳ１４１４：Ｎｏ）は、ステップＳ１４０５へ戻る。
【０１６６】
一方、ステップＳ１４１４において、ステップＳ１４０４において表示画面７９０を表示してから所定時間が経過した場合（ステップＳ１４１４：Ｙｅｓ）は、ステップＳ１４０６へ移行する。これにより、表示画面７９０を表示してから所定時間が経過した時点において、ポイントの記憶に関する利用者の意思表示がない場合、決済において付与されたポイントは、決済に用いた決済カードのポイントとして記憶される。
【０１６７】
この発明にかかるカードは、上述した実施の形態のカード４００に限るものではない。この発明にかかるカードは、たとえば、カード決済システム１００に加盟している加盟店の広告に関する情報を表示してもよい。この場合、具体的には、たとえば、上記の図６−４に示した加盟店データベース６４０において、加盟店名ごとに、クーポン情報以外の広告情報を関連付けて記憶する。広告情報は、たとえば、当該広告情報が広告する店舗の新商品、イベント、利用特典などを案内する情報を、ディスプレイ４２０に表示させるための情報を含む。
【０１６８】
また、広告情報は、たとえば、当該広告情報が広告する店舗のロゴマークなどの画像情報を含んでいてもよい。さらに、広告情報は、たとえば、所定のソフトウエアなどを用いて作成した動画、アニメーション、音声などの情報を含んでいてもよい。所定のソフトウエアとしては、具体的には、たとえば、Ａｄｏｂｅｓ  Ｓｙｓｔｅｍｓ社製のＦｌａｓｈなどを用いることができる。この場合、運用上、所定のソフトウエアは、カード４００が備えるＲＯＭ５０２やメモリ５０４などにインストールしておく。あるいは、この場合、運用上、広告情報を加盟店データベース６４０に記憶する際に、所定のソフトウエアをカード４００が備えるＲＯＭ５０２やメモリ５０４などにインストールする。
【０１６９】
そして、この場合、カード４００は、図７−１に示した表示画面（メニュー画面）７１０を表示してから所定時間経過するまでに当該カード４００に対する利用者の入力操作がない場合に、加盟店データベース６４０に記憶されている広告情報に基づいて、ディスプレイ４２０において加盟店の広告に関する情報を表示する。これによって、カード４００に対する何らの入力操作がなされない場合であっても、加盟店の広告をおこなうことができる。
【０１７０】
カード４００が備えるディスプレイ４２０に表示する広告情報は、上記の図６−４に示した加盟店データベース６４０において「お気に入り店舗」として指定された加盟店に関する広告情報のみであってもよい。上記の図６−４に示した加盟店データベース６４０において複数の加盟店についての複数種類の広告情報が存在する場合、あるいは、上記の図６−４に示した加盟店データベース６４０において「お気に入り店舗」として指定された加盟店が複数存在する場合、カード４００に対する何らの入力操作がなされない間、所定時間が経過するごとに、ディスプレイ４２０に表示する広告情報を順次あるいはランダムに切り替えることによって、複数の加盟店の広告をおこなうようにしてもよい。
【０１７１】
このように、カード４００のディスプレイ４２０に加盟店の広告を表示することにより、加盟店のセールスポイントを利用者の身近で広告することができる。カード４００のディスプレイ４２０に加盟店のロゴマークを表示する場合、加盟店が発行したカードを所有しているように見せることができ、加盟店が発行する会員カードやサービスカードを所有している利用者が数多く存在するようにアピールすることができる。
【０１７２】
上記の図６−４に示した加盟店データベース６４０において「お気に入り店舗」として指定された加盟店の広告情報を、カード４００のディスプレイ４２０に表示するようにした場合、加盟店は自店の広告をより高頻度で表示させるように、利用者に提供するサービスの質を向上させたり、利用者が好むサービスを提供したりするなど、営業内容を検討することが想定される。これによって、カード決済システム１００の利用者に対してより多くのサービスを提供することができる。
【０１７３】
また、上記のように、カード４００のディスプレイ４２０を有効に活用することにより、加盟店の宣伝を効果的におこなうことができるので、カード決済システム１００に加盟する加盟店の数を増やすことができる。そして、カード決済システム１００に加盟する加盟店の数を増やすことにより、カード決済システム１００の利用者に対してより多くのサービスを提供することができる。
【０１７４】
以上説明したように、この発明にかかる実施の形態のカード４００は、決済端末装置１２０が実行する決済に用いるカード（以下「決済カード」という）を含む複数種類のカードに関するカード情報をカードの種類に応じて集約した集約項目ごとに関連付けて記憶し、電池（電源）５０６ａから供給される電力を用いて、カード情報の集約項目をディスプレイ４２０に表示し、ディスプレイ４２０に表示された集約項目の中から任意の集約項目を指定する入力操作をディスプレイ４２０に積層されたタッチパネル４２１を介して受け付けた場合は、当該入力操作によって指定された集約項目に集約されたカード情報の少なくとも一部をディスプレイ４２０に表示するようにしたことを特徴としている。
【０１７５】
この発明にかかる実施の形態のカード４００によれば、複数のカードに関するカード情報を１枚のカード４００に集約し、集約した複数のカード（集約カード）に関するカード情報の中から利用者によって指定された任意のカード情報を表示させることができる。カード４００の利用者は、複数のカードに関するカード情報が集約された１枚のカード４００を持ち運ぶだけで、複数のカードの各カード情報を任意のタイミングで確認することができる。
【０１７６】
これによって、この発明にかかる実施の形態のカード４００によれば、複数のカードを所有することにより当該複数のカードの中から適宜任意のカードを利用できることによる利便性を確保しつつ、複数のカードに関するカード情報を１枚のカード４００に集約することにより複数のカードを持ち運ぶ場合と比較してカード４００の持ち運びにかかる煩わしさを低減することができ、カード４００の利用にかかる利便性の向上を図ることができる。
【０１７７】
また、この発明にかかる実施の形態のカード４００は、決済端末装置１２０に装着された場合に当該決済端末装置１２０から受電し、受電した電気を電源に充電するようにしたことを特徴としている。この発明にかかる実施の形態のカード４００によれば、カード４００を用いて決済をおこなうごとに電源を充電することができる。これによって、充電に関する利用者の負担をなくし、カード４００の利用にかかる利用者の利便性の向上を図ることができる。
【０１７８】
また、この発明にかかる実施の形態のカード４００によれば、電源に充電することを目的とする利用者をカード決済システム１００に加盟している店舗へ来店させることができる。これによって、カード決済システム１００に加盟している店舗は、電池（電源）５０６ａを充電することを目的とする利用者を対象に販売促進を図ることができる。
【０１７９】
また、この発明にかかる実施の形態のカード４００は、カード４００が決済端末装置１２０に装着され、当該決済端末装置１２０から決済処理の実行に用いる情報の要求を受け付けた場合に、優先順位を示す情報に基づいて特定される決済カードのカード情報を抽出し、抽出したカード情報を用いて決済端末装置１２０との間で決済処理を実行することを特徴としている。
【０１８０】
この発明にかかる実施の形態のカード４００によれば、決済の実行に際して、利用者が都度指定することなく当該決済に用いる決済カードを決定することができる。これによって、複数の決済カードを所有することにより当該複数の決済カードの中から適宜任意の決済カードを利用できることによる利便性を確保しつつ、複数のカードに関するカード情報を１枚のカード４００に集約することにより複数のカードを持ち運ぶ場合と比較してカード４００の持ち運びにかかる煩わしさを低減することができ、カード４００の利用にかかる利便性の向上を図ることができる。
【０１８１】
また、この発明にかかる実施の形態のカード４００は、決済端末装置１２０に装着された場合に、当該決済端末装置１２０から当該決済端末装置１２０が設置された店舗に関する情報を取得し、取得した情報および優先順位を示す情報に基づいて決済カード情報を抽出することを特徴としている。
【０１８２】
この発明にかかる実施の形態のカード４００によれば、決済の実行に際して、利用者が都度指定することなく、当該決済に用いる決済カードを決済をおこなう店舗に応じて決定することができる。これによって、複数のカード情報を１枚のカード４００に集約した場合にも、決済をおこなう店舗に応じた任意の決済カードを用いた決済をおこなうことができるので、決済にかかる利便性の一層の向上を図ることができる。
【０１８３】
また、この発明にかかる実施の形態のカード４００は、決済を実行した場合にポイントを付与する店舗および付与されたポイントの数を示すカード（以下「ポイントカード」という）のカード情報を店舗ごとに記憶し、決済端末装置１２０から、当該決済端末装置１２０が設置された店舗に関する情報および決済を実行した場合に付与されたポイントの数に関する情報を取得し、取得した情報およびカード４００が記憶するカード情報に基づいて、付与されたポイントの数およびポイントカードに関するカード情報をディスプレイ４２０に表示し、付与されたポイントを各ポイントカードに任意の割合で振り分ける入力操作に応じて、付与されたポイントを各ポイントカードに任意の割合で振り分けて記憶することを特徴としている。
【０１８４】
この発明にかかる実施の形態のカード４００によれば、決済カードを用いた決済によって付与されたポイントを、カード４００に集約された任意の集約カード（ポイントカード）に任意の割合で振り分けて記憶することができる。これによって、利用者は、ポイントの利用用途や利用者の目的などに応じて最適な店舗のポイントを増やすことができ、ポイントを有効に活用することができる。
【産業上の利用可能性】
【０１８５】
以上のように、この発明にかかる決済カードは、決済に用いる決済カードに有用であり、特に、利用に応じてポイントが付与される決済カードに適している。
【符号の説明】
【０１８６】
１００  カード決済システム
１２０  決済端末装置
４００  カード
５０６ａ  電池
８０１  充電部
８０２  表示部
８０３  集約カード情報記憶部
８０４  操作受付部
８０５  集約カード情報抽出部
８０６  決済処理部
８０７  店舗情報取得部
８０８  ポイント情報取得部
【図１】
2014016997.tif 000003
【図２】
2014016997.tif 000004
【図３−１】
2014016997.tif 000005
【図３−２】
2014016997.tif 000006
【図４−１】
2014016997.tif 000007
【図４−２】
2014016997.tif 000008
【図５】
2014016997.tif 000009
【図６−１】
2014016997.tif 000010
【図６−２】
2014016997.tif 000011
【図６−３】
2014016997.tif 000012
【図６−４】
2014016997.tif 000013
【図７−１】
2014016997.tif 000014
【図７−２】
2014016997.tif 000015
【図７−３】
2014016997.tif 000016
【図７−４】
2014016997.tif 000017
【図７−５】
2014016997.tif 000018
【図７−６】
2014016997.tif 000019
【図７−７】
2014016997.tif 000020
【図７−８】
2014016997.tif 000021
【図７−９】
2014016997.tif 000022
【図７−１０】
2014016997.tif 000023
【図８】
2014016997.tif 000024
【図９】
2014016997.tif 000025
【図１０】
2014016997.tif 000026
【図１１】
2014016997.tif 000027
【図１２】
2014016997.tif 000028
【図１３】
2014016997.tif 000029
【図１４】
2014016997.tif 000030